(57)【要約】【課題】  本発明は、印刷機、特に枚葉紙オフセット印刷機のインキ装置を制御するための装置ならびに方法であって、印刷開始前に、インキ装置を充填および／または予備設定するため、インキ供給を調整する設定を行う装置ならびに方法に関し、当該インキ装置を制御するための方法、ならびに、この方法を実施するための装置を拡張して、印刷損紙を明らかに低減させ、好ましくはインキ装置を自動的に充填しかつ予め設定できるようにすることを課題とする。【解決手段】  インキ装置の温度に対応する値を検出し、該値に応じて、印刷開始前に前記インキ装置の前記インキ供給を調整する設定を行う。【選択図】  図１
2004249733.tif 000002
【特許請求の範囲】
【請求項１】
印刷機、特に枚葉紙オフセット印刷機のインキ装置を制御するための方法であって、印刷開始前に、インキ装置を充填および／または予備設定するため、インキ供給を調整する設定を行う方法において、
前記インキ装置の温度に対応する値を検出し、該値に応じて、印刷開始前に前記インキ装置の前記インキ供給を調整する設定を行うことを特徴とする方法。
【請求項２】
請求項１に記載の方法において、
前記インキ装置温度をセンサによって検出することを特徴とする方法。
【請求項３】
請求項１に記載の方法において、
前記インキ装置の温度に対応する値を前記印刷機の稼動状態ならびに稼動継続時間によって算出することを特徴とする方法。
【請求項４】
請求項１から請求項３のいずれか１項に記載の方法において、
揺動式インキ装置の場合に、単位時間あたりの揺動の回数を前記インキ装置温度に応じて設定することを特徴とする方法。
【請求項５】
請求項１から請求項４のいずれか１項に記載の方法において、
駆動可能なインキ溝ローラを有するインキ装置の場合に、前記インキ溝ローラの回転数を前記インキ装置の温度に応じて制御することを特徴とする方法。
【請求項６】
請求項１から請求項５のいずれか１項に記載の方法において、
インキ配量部材を有するインキ装置の場合に、前記配量部材の設定を前記温度に応じて行うことを特徴とする方法。
【請求項７】
請求項１から請求項６のいずれか1項に記載の方法において、
ローラ列分断部を有するインキ装置の場合に、前記ローラ列分断部を前記インキ装置の温度に応じて接続／離間することを特徴とする方法。
【請求項８】
請求項１に記載の方法を実施するための装置であって、インキ装置を有し、該インキ装置では、供給すべきインキの量が少なくとも一つのアジャスタないし駆動部によって調整可能とされ、さらに印刷開始前に該インキ装置を充填および／または予備設定するために、前記インキ装置が、少なくとも一つのアジャスタないし駆動部を、対応して設けられた制御部を介して起動できるように設けられている装置において、
制御部（１１）に、前記インキ装置の温度に対応した値が供給可能とされ、かつ、前記制御部（１１）は、記憶装置（１３）と信号接続状態にあり、該記憶装置内に、前記アジャスタ（２，１０）もしくは前記駆動部（４，６）のための温度に依存した設定が蓄積され、この設定が次に前記制御部（１１）を介して設定を行うために手渡されるように構成されていることを特徴とする装置。
【請求項９】
請求項８に記載の装置において、
前記制御部（１１）は、前記インキ装置内の温度センサ（１２）と信号接続状態にあることを特徴とする装置。
【請求項１０】
請求項８または請求項９に記載の装置において、
前記制御部（１１）によって、インキ溝ローラ（１）の前記駆動部（４）が前記温度に応じて制御可能とされていることを特徴とする装置。
【請求項１１】
請求項８から請求項１０のいずれか１項に記載の装置において、
インキ配量部材（３）を有するインキ装置の場合に、前記インキ配量部材は、前記制御部（１１）によって、対応して設けられたアクチェータ（２）を介して、前記温度に応じて設定可能とされていることを特徴とする装置。
【請求項１２】
請求項８から請求項１１のいずれか１項に記載の装置において、
揺動式インキ装置の場合に、揺動式インキ移しローラ（５）の前記駆動部（３）は、前記制御部（１１）によって、前記インキ装置の温度に応じて設定可能とされていることを特徴とする装置。
【請求項１３】
請求項８から請求項１２のいずれか１項に記載の装置において、
ローラ列分断部を有するインキ装置の場合に、対応して設けられた駆動部（１０）が、前記制御部（１１）によって、前記インキ装置の温度に応じて接続／分離可能とされていることを特徴とする装置。
【発明の詳細な説明】
【技術分野】
【０００１】
本発明は、インキ装置を制御するための方法、及び、方法もしくは装置の請求項の前提部分おいて書き部に記載の方法を実施するための装置に関する。
【背景技術】
【０００２】
枚葉紙オフセット印刷機では、インキ溝と協働するインキ溝ローラ、揺動式インキ移しローラ、ならびに後続のインキローラとインキ塗布ローラとによってインキが供給される。インキ装置内での複数回のインキ分けの工程を通して、印刷インキは、コンディショニングが施される、つまりインキは、印刷にとって流動学的に最も適した状態に変化させられる。この印刷インキの流動学的特性は、温度に依存し、その結果、インキの配量（インキ溝ローラ回転数、揺動式インキ移しローラタクト周波数、インキ配量部材の設定）が変わらないように設定されていると、インキ装置内の温度が変化する際に、ローラならび被印刷材料上のインキの層厚が変化する。
【０００３】
特許文献１としての独国特許第４３１２４５９号明細書より、印刷機のインキ装置の温度を検出する測定装置が公知となっている。この発明では、インキ装置ローラ領域の空間から吸引された空気が温度測定センサに導かれ、このセンサの信号が次に温度均衡化装置を制御するために用いられる。この温度均衡化装置によって、インキ装置ローラおよびこれらのローラ上に存在している印刷インキを所定の温度高さに調整することが可能となり、特に最適の印刷温度を設定することが可能となる。しかしながら、この場合の問題は、一つには、上記温度均衡化装置がコスト高である点、さらには、所定の温度が或る一定の時間経過後ようやく得られるという点である。
【０００４】
枚葉紙オフセット印刷機のインキ装置内のインキローラの数は膨大なものであるから、インキ装置は多量のインキを保持しており、その結果、この系は比較的緩慢に反応する。特に、シフト開始時ないし印刷課題交換時には、立ち上げ時の印刷損紙を少なくするために、インキならしを行い、かつこの工程と並行もしくは後続のさらなる工程において、斯かる層厚のグレーディングを、後の印刷ではどのように存在するかに応じてローラ上に形成することが不可欠である（インキ予備設定）。
【０００５】
特許文献２としての独国特許出願公開第３３３８１４３号明細書ならびに特許文献３としての独国特許出願公開１９８５７２１８第号明細書より、印刷開始時点ないし印刷課題交換時にどのように用いられるかに応じたインキならしの方法ならびにインキ予備設定の方法が公知となっている。しかしながら、この方法によってシフト開始もしくは印刷課題交換後の立ち上げ時における印刷損紙をできる限り減らせるのは、一方でインキ装置内に充填されるインキならびにインキ配量の設定が印刷対象の題材に正確に適合しているだけでなく、さらにその他あらゆる印刷機パラメータにも適合しているときだけである。
【特許文献１】独国特許発明第４３１２４５９号明細書
【特許文献２】独国特許出願公開第３３３８１４３号明細書
【特許文献３】独国特許出願公開１９８５７２１８第号明細書
【発明の開示】
【発明が解決しようとする課題】
【０００６】
従って、本発明の課題は、インキ装置を制御するための方法、ならびに、本願の方法ないし装置の請求項の前提部分おいて書き部に記載の当該方法を実施するための装置を拡張して、印刷損紙を明らかに低減させ、好ましくはインキ装置を自動的に充填しかつ予め設定できるようにすることにある。
【課題を解決するための手段】
【０００７】
この課題は、方法の請求項ないし装置の請求項の特徴部分に記載の特徴によって解決される。本発明の発展態様は、それぞれ下位請求項に与えられている。
【０００８】
本発明によれば、インキ装置の温度に対応する値が検出され、この値に応じて、インキの供給を調整するインキ装置の設定が印刷開始前に行われる。
【０００９】
インキ装置温度に応じた予備充填および／または予備調節のための設定を選ぶために、一つもしくは複数の温度センサがインキ装置内に設けられる。これとは別に、温度の値は、機械の稼動時間（過去の経過〔ヒストリー〕）から導かれるものであってもよい。そのために、機械の運転時間は、さらに他のパラメータと一緒に関連付けられて検出され、とりわけ、以前、所定時間、所定の運転形態で印刷機が稼動していたときにインキ装置がどのような温度を有するかが経験的に考慮される。
【００１０】
本発明による、温度に応じたインキ装置の予備充填および／または予備調節（予備設定）は、インキ装置の予備充填ないし予備調節（予備設定）時に行われる他ならぬその設定の変更によって行われる。このとき、特に本発明によれば、インキ装置内に導入されるべきインキ量は、温度に応じて決められるべきものであり、かつそのために、インキ配量、揺動式インキ移しローラ等々を所定の温度においてどのように設定しなければならないかを与えるような、モデル計算により決定された、もしくは経験的に求められた関係が用いられるようになっている。
【００１１】
印刷中、インキの層厚、従って被印刷材料上のインキの濃さは、温度とともに増すので、予備充填ならびに予備設定時にインキ装置内に導入されるべきインキ量も、インキ装置内の温度と然るべき対応関係にあるものにされる。この関係は、モデル計算もしくは実験によって決定される。こうして、どのインキ装置温度のときにどのインキ量がインキ装置内に導入されなければならないかを与える一つの特性曲線を割り出すことができる。かくして、例えばインキ配量部材に関する設定パラメータ、インキ溝ローラに関する設定パラメータ（回転数）、揺動式インキ移しローラに関する設定パラメータ（周波数）、及びインキ供給を決めるさらに他のアジャスタに関する設定パラメータを特定することが可能となる。これらの予備設定および／または予備充填のためのパラメータは、本発明のさらなる実施形態により、好ましくは印刷課題、すなわち印刷する面積部分に応じて選ぶことができる。これは、印刷する面積部分が少ないクラス、印刷する面積部分が中くらいのクラス、印刷する面積部分が多いクラスに分けることによって行われる。
【００１２】
本発明の実施形態によれば、インキ装置の自動的な予備充填および予備設定のための所定のプログラムが用いられる。このプログラムは、インキ溝ローラに対するインキ配量部材の調整、回転の特定の回数ならびに所定回転数でのインキ溝ローラの駆動、往復の特定の回数と所定周波数での揺動式インキ移しローラの駆動、及び、例えばインキ進行分断（ローラ列の分断）のためのアジャスタの制御された接続／分離からなる一連の特定の流れからなる。本発明によれば、かくして、例えば、揺動の往復工程の回数（これにより、インキ溝ローラからインキ装置の下部へとインキが搬送される）だけが専らインキ装置温度に応じて変更されるものとされる。また、本発明の実施形態によれば、ダクト回転数（インキ溝ローラ）の設定により、インキ装置内に搬送されるべきインキ量が温度に応じて与えられるか、あるいは、インキ溝ローラに対するインキ配量部材の調整を介してインキ装置内に搬送されるべき印刷インキの量がインキ装置温度に応じて決定可能となる。
【００１３】
どの時点でインキローラ列が分断ないし再接続されるかを決めるインキ予備設定の場合、インキ装置温度に応じて時間間隔を選択することができる。適した設定値は、モデル計算により決定されるか、あるいは、経験的に特定される。好ましいやり方では、温度に応じてインキの濃さがどのように変化するかサンプル印刷を通して特定されるようにして設定値の特定すればよい。これにより、補正因子を計算することが可能となり、この補正因子が、温度が減少するときのインキ層厚の低減に対処するよう、対応する設定値をどのように変更すべきかを与える。このようにして、特性曲線が算出可能とされ、インキ装置の制御部に対して設けられた記憶装置内に蓄積される。
【発明を実施するための最良の形態】
【００１４】
以下に、本発明の実施形態を一つの図面に基づいて説明する。図１は、インキの導入を調節する相応のアジャスタならびに対応して設けられた制御部を備える枚葉紙オフセット印刷機のインキ装置を示す。
【００１５】
この図は、枚葉紙オフセット印刷機の印刷装置の上側の部分を示している。印刷すべきインキは、インキ溝ローラ１と協働するインキ溝より、所定の層厚でインキ溝ローラ１上に塗布される。該インキ溝の下側に面してアクチェータ２により制御されて動作可能なインキ配量部材３がインキ溝とともに協働する。こうして、インキ溝ローラ１の幅に亙り、ゾーン毎に異なるようにしてインキが供給可能とされている。
【００１６】
インキ溝ローラ１は、駆動部４を備え、該駆動部を用いて、前記インキ溝ローラが予め入力可能な回転数で、あるいは予め入力可能な動作規則に従って駆動可能とされている。
【００１７】
このインキ溝ローラ１には、揺動式インキ移しローラ５が後置されており、このインキ移しローラが、駆動部６によって、予め設定可能な周波数（単位時間の回数）で上記インキ溝ローラ１と上記後置されたインキ装置ローラ７との間を行ったり来たり移動可能に設けられている。インキは、幾つかのインキ装置ローラ７を介し、インキ塗布ローラ８を介して、版胴９上に位置する印刷版上にもたらされる。
【００１８】
インキ装置ローラ７のローラ列中には、一箇所もしくは複数箇所において、インキの通り道を分断するインキコース分断部が設けられ、このインキコース分断部が、アジャスタ１０（調整装置）により起動可能とされている。これにより、一箇所もしくは複数箇所において上記インキローラ７が互いに分離可能とされ、これが、段階的に当接ないし離間を行ったり、然るべくインキ供給を中断する働きをする。これにより、ちょうどインキならしの時点で、十分ならしたときに近いインキ層厚分布を実現させることができる。
【００１９】
インキ配量部材３のためのアクチェータ２、インキコース分断部のためのアジャスタ１０、ならびにインキ溝ローラ１ないし揺動式インキ移しローラ５のための駆動部４，６は、制御部と信号接続状態にあり、該制御部から出た信号が、所定の仕方で上記部材の上記駆動部に入力される。上記制御部１１は、温度センサ１２と信号接続状態にあり、該温度センサによってインキ装置の温度が検出される。上記制御部１１は、記憶装置１３と信号接続状態にあり、該記憶装置内には、インキ溝ローラ１および／またはインキ配量部材３および／または揺動式インキ移しローラ５および／またはインキコース分断部１０を駆動するための温度に依存した基準値が例えば特性曲線の形で蓄積されている。このようにして、例えば、インキ装置に充填するために揺動式インキ移しローラ５がインキを搬送する時間あたりの往復工程数が温度に応じて制御可能とされている。また、インキ配量部材３は、充填時だけでなくインキ装置の予備設定時にも、上記のようにして温度に応じて設定することが可能とされている。同じことが、駆動部４によるインキ溝ローラ１の駆動ならびにインキ装置の予備設定時に操作可能なローラ列分断部にも当てはまる。
【図面の簡単な説明】
【００２０】
【図１】インキの導入を調整する相応のアジャスタならびに対応して設けられた制御部を備えた、枚葉紙オフセット印刷機のインキ装置を示す図である。
【符号の説明】
【００２１】
１・・・インキ溝ローラ
２・・・アクチェータ（インキ配量部材３）
３・・・インキ配量部材
４・・・駆動部（インキ溝ローラ１）
５・・・揺動式インキ移しローラ
６・・・駆動部（揺動式インキ移しローラ５）
７・・・インキ装置ローラ
８・・・インキ塗布ローラ
９・・・版胴
１０・・・アジャスタ（ローラ列分断部）
１１・・・制御部
１２・・・温度センサ
１３・・・記憶装置
【図１】
2004249733.tif 000003